(57)【要約】      （修正有）【課題】メディア媒体が風雨に晒されることが無く汚染されずにメディア媒体を長期間クリーンな状態に維持できる薄型電飾体を提供する。【解決手段】ＬＥＤを含むＬＥＤモジュールと、ＬＥＤモジュールのＬＥＤ照射光を案内する導光板と、導光板を透過したＬＥＤ照射光を透過する乳半面板と、乳半面板を透過したＬＥＤ照射光により視認されるメディア媒体と、ＬＥＤモジュールと導光板と乳半面板とメディア媒体とを保持する枠体部と、メディア媒体を透視可能とする透明カバーとを備えている。透明カバーの片面側の周囲にマグネットプレートを被着し、マグネットプレートの表面に、シリコンを塗布することにより突条を設け、マグネットプレートを枠体部に着脱自在に磁着する。【選択図】図４
0003159036.tif 000002
【実用新案登録請求の範囲】
【請求項１】
光源を構成するＬＥＤを含んで形成されるＬＥＤモジュールと、
該ＬＥＤモジュールのＬＥＤ照射光を案内する導光板と、
該導光板を透過したＬＥＤ照射光を透過する光透過性の乳半面板と、
該乳半面板を透過したＬＥＤ照射光により視認されるポスターなどのメディア媒体と、
前記ＬＥＤモジュールと導光板と乳半面板とメディア媒体とを保持する枠体部と、
前記メディア媒体を透視可能とする透明カバーとを備え、
該透明カバーの片面側の周囲にマグネットプレートを被着し、
該マグネットプレートの表面に、シリコンを塗布することにより形成され前記枠体部に前記マグネットプレートを磁着した際に圧接される突条を設け、
前記マグネットプレートを前記枠体部に着脱自在に磁着し、前記マグネットプレートを前記枠体部に磁着した際に、前記マグネットプレートの突条を前記枠体部に圧接して前記枠体部と前記透明カバーとにより形成されるスペースを防水・防塵構造に形成したことを特徴とする薄型電飾体。
【請求項２】
前記透明カバーの裏面に、側周部を囲成し、帯状領域を有する枠体状のマグネットプレートを被着し、さらに、このマグネットプレートの表面にシリコンを塗布して形成した、前記枠体部に前記マグネットプレートを磁着した際に圧接される突条を形成したことを特徴とする請求項１記載の薄型電飾体。
【請求項３】
前記マグネットプレートを前記枠体部に着脱自在に磁着し、前記マグネットプレートの突条を前記枠体部に圧接すると前記突条の先端は潰れて変形してパッキンを形成することを特徴とする請求項１または２記載の薄型電飾体。
【考案の詳細な説明】
【技術分野】
【０００１】本考案は、ＬＥＤ光源を用いた、壁面パネル型サイン、スタンド型サイン、袖看板等に適する薄型電飾体に関するものである。
【背景技術】
【０００２】夜間視認性を確保し有権者の意識の高揚が図られ投票率のアップへの期待ができる看板が提案されている（特許文献１）。
【先行技術文献】
【０００３】
【特許文献１】  特開２００８−３１０１５３号公報
【考案の概要】
【考案が解決しようとする課題】
【０００４】しかしながら、この看板にあっては、看板表面（表示内容）が防水・防塵構造に形成されていないため、看板のメディア媒体自体（ポスター等）が風雨に晒されて汚染され長期間の使用には耐え得ないという問題点があった。
【解決手段】
【０００５】したがって、本考案の目的は、マグネットプレートを被着した透視可能な透明カバーを枠体部に着脱自在に磁着することにより、メディア媒体を保持する枠体部と透明カバーとの間に形成されるスペースを防水・防塵構造に形成でき、メディア媒体が風雨に晒されることが無く汚染されずにメディア媒体を長期間クリーンな状態に維持できる薄型電飾体を提供することにある。
【０００６】本考案の他の目的は、メディア媒体の差し替えが容易な薄型電飾体を提供することにある。
【０００７】本考案のもう一つ他の目的は、枠体部を薄く形成でき、全体としてフラットなデザイン形状に形成できる薄型電飾体を提供することにある。
【０００８】本考案のさらにもう一つ他の目的は、両面導光板を採用することにより、メディア媒体を明瞭に照射できるとともにサインの厚みを薄く形成できる薄型電飾体を提供することにある。
【課題を解決するための手段】
【０００９】本考案に係る薄型電飾体は、光源を構成するＬＥＤを含んで形成されるＬＥＤモジュールと、該ＬＥＤモジュールのＬＥＤ照射光を案内する導光板と、該導光板を透過したＬＥＤ照射光を透過する光透過性の乳半面板と、該乳半面板を透過したＬＥＤ照射光により視認されるポスターなどのメディア媒体と、前記ＬＥＤモジュールと導光板と乳半面板とメディア媒体とを保持する枠体部と、前記メディア媒体を透視可能とする透明カバーとを備え、該透明カバーの片面側の周囲にマグネットプレートを被着し、前記マグネットプレートの表面に、シリコンを塗布することにより形成され前記枠体部に前記マグネットプレートを磁着した際に圧接される突条を設け、前記マグネットプレートを前記枠体部に着脱自在に磁着し、前記マグネットプレートを前記枠体部に磁着した際に、前記マグネットプレートの突条を前記枠体部に圧接して前記枠体部と前記透明カバーとにより形成されるスペースを防水・防塵構造に形成したことを特徴としている。
【００１０】前記透明カバーの裏面に、側周部を囲成し、帯状領域を有する枠体状のマグネットプレートを被着し、さらに、このマグネットプレートの表面にシリコンを塗布して形成した、前記枠体部に前記マグネットプレートを磁着した際に圧接される突条を形成するとよい。
【００１１】前記マグネットプレートを前記枠体部に着脱自在に磁着し、前記マグネットプレートの突条を前記枠体部に圧接すると前記突条の先端は潰れて変形してパッキンを形成するようにできる。
【００１２】ＬＥＤ光源はＬＥＤチップを複数個並べて点滅が可能なように電気配線が配置されている。
【考案の効果】
【００１３】本考案によれば、次の効果を奏する。
（１）マグネットプレートを被着した透視可能な透明カバーを枠体部に着脱自在に磁着す    ることにより、メディア媒体を保持する枠体部と透明カバーとの間に形成されるスペ    ースを防水・防塵構造に形成でき、メディア媒体が風雨に晒されることが無く汚染さ    れずにメディア媒体を長期間クリーンな状態に維持できる薄型電飾体が得られる。
（２）メディア媒体の差し替えが容易な薄型電飾体が得られる。
（３）枠体部を薄く形成でき、全体としてフラットなデザイン形状に形成できる薄型電飾    体が得られる。
（４）両面導光板を採用することにより、メディア媒体を明瞭に照射できるとともにサイ    ンの厚みを薄く形成できる薄型電飾体が得られる。
【図面の簡単な説明】
【００１４】
【図１】本考案に係る薄型電飾体を壁面パネル型サインとして形成した例を示す斜視図である。
【図２】図１に示す薄型電飾体を構成する枠体部の正面図である。
【図３】図１に示す薄型電飾体の構成部品の一部を分離した状態を示す斜視図である。
【図４】図１に示す薄型電飾体の構成部品を分離した状態を示す斜視図である。
【図５】図１のＸ１−Ｘ１断面要部拡大図であり、透明カバーを分離した状態を示す図である。
【図６】図１のＸ２−Ｘ２断面要部拡大図であり、透明カバーを分離した状態を示す図である。
【図７】薄型電飾体を構成しているＬＥＤモジュールと導光板を分離した状態を示す拡大斜視図である。
【図８】薄型電飾体を構成している透明カバーを示す斜視図である。
【図９】図８のＸ３−Ｘ３断面要部拡大図である。
【図１０】マグネットシートに断面三角形の突条が５本、等間隔に形成されていることを示す拡大斜視図である。
【図１１】マグネットシートに形成されている突条が圧接されて突条の先端が潰れて変形することを示す断面略図である。
【図１２】薄型電飾体を構成している透明カバーの変形例を示す斜視図である。
【図１３】図１２のＸ４−Ｘ４断面要部拡大図である。
【図１４】薄型電飾体を構成している透明カバーのもう一つ他の変形例を示す斜視図である。
【図１５】図１４のＸ５−Ｘ５断面要部拡大図である。
【図１６】本考案に係る薄型電飾体をスタンド型サインとして形成した例を示す斜視図である。
【図１７】図１６に示すスタンド型サインの正面略図である。
【図１８】図１６に示すスタンド型サインの側面図である。
【図１９】図１６示すスタンド型サインの平面図である。
【図２０】図１６のＹ−Ｙ断面要部拡大図であり、透明カバーを分離した状態を示す図である。
【図２１】図１６に示すスタンド型サインの構成部品を分離した状態を示す斜視図である。
【図２２】本考案に係る薄型電飾体を袖看板として形成した例を示す斜視図である。
【図２３】図２２に示す袖看板の構成部品の一部を分離した状態を示す斜視図である。
【図２４】図２２に示す袖看板の構成部品を分離した状態を示す斜視図である。
【考案を実施するための形態】
【実施例】
【００１５】以下は本考案の実施例についての説明である。【００１６】図１〜図１０に薄型電飾体を壁面パネル型サインとして形成した例を示す。【００１７】これらの図において、薄型電飾体１は、ＬＥＤモジュール１０と、該ＬＥＤモジュールのＬＥＤ照射光を案内する片面型のＬＥＤ導光板２０と、該導光板を透過したＬＥＤ照射光を透過する光透過性の乳半面板３０と、該乳半面板を透過したＬＥＤ照射光により視認されるポスターなどのメディア媒体４０と、前記ＬＥＤモジュールと導光板と乳半面板とメディア媒体とを保持する枠体部５０と、前記メディア媒体を透視可能とする透明カバー６０とを備えている。【００１８】前記ＬＥＤモジュール１０は、光源を構成するＬＥＤ１１と、複数個のＬＥＤを直列に配置して保持している横断面形状がコ字状のＬＥＤホルダ１２より形成される（図７参照）。ＬＥＤ光源はＬＥＤチップを複数個並べて点滅が可能なように電気配線が配置されている。【００１９】前記乳半面板３０は、乳半アクリル板により形成されている。【００２０】前記枠体部５０は、枠体本体５０Ａと、磁性体（金属、例えば鉄）により形成され前記枠体本体５０Ａに連設しているパイプ５０Ｂとより構成されている。符号５２はトップカバー、５３，５４はサイドカバー、５５はボトムカバーである。前記トップカバー５２、サイドカバー５３，５４、ボトムカバー５５は枠体部５０の一部を形成し、結束手段（ねじ）により枠体本体５０Ａに固定される（図４〜図６）。【００２１】該透明カバー６０の裏面には、側周部を囲成し、帯状領域（所定巾）を有する枠体状のマグネットプレート７０が被着され、さらに、このマグネットプレートの表面にはシリコンを塗布して形成された、前記枠体部５０に前記マグネットプレート７０を磁着した際に圧接される断面三角形の矩形の突条７１が５本、等間隔に形成されている（図８〜図１０）。符号６５は前記透明カバー６０のバック印刷面、６７は前記マグネットプレート７０と前記透明カバー６０の接着面である（図５、図６）。【００２２】前記マグネットプレート７０を前記枠体部５０に着脱自在に磁着し、前記マグネットプレートの突条７１を前記枠体部に圧接すると前記突条７１の先端は潰れて変形してパッキンを形成し（図１１）、前記枠体部５０と前記透明カバー６０とにより形成されるスペースＳは防水・防塵構造に形成される。【００２３】符号８０は電源（ＡＤ／ＤＣ変換電源）、９０は裏板（アルミ複合板）である。【００２４】（透明カバーの変形例）
図１２乃至図１５に透明カバーに被着するマグネットプレート表面に形成する突条の変形例を示す。図１２及び図１３に、マグネットプレート表面にシリコンを塗布することにより断面矩形の突条７４を３本形成した例を示す。また、図１４及び図１５に、同様に表面にシリコンを塗布することにより断面矩形の突条７６を７本形成した例を示す。【００２５】（実施例２）
図１６〜図２１薄型電飾体の第２の実施例を示す。
図１６〜図２１において、薄型電飾体１０１が、
（１）光源を構成するＬＥＤを含んで形成されるＬＥＤモジュール１１０と、
（２）ＬＥＤモジュールのＬＥＤ照射光を案内する導光板１２０と、
（３）導光板を透過したＬＥＤ照射光を透過する光透過性の乳半面板１３０と、
（４）乳半面板を透過したＬＥＤ照射光により視認されるポスターなどのメディア媒体１      ４０と、
（５）ＬＥＤモジュールと導光板と乳半面板とメディア媒体とを保持する枠体部１５０と      、
（６）メディア媒体を透視可能とする透明カバー１６０とを備え、
（７）透明カバーの周囲にマグネットプレート１７０を被着し、
（８）マグネットプレートの表面に、枠体部にマグネットプレートを磁着した際に圧接さ      れる突条１７１を形成し、
（９）マグネットプレートを枠体部に着脱自在に磁着し、マグネットプレートの突条を枠      体部に圧接して枠体部と透明カバーとにより形成されるスペースＳを防水・防塵構      造に形成し、
（１０）透明カバーの裏面に、側周部を囲成し、帯状領域を有する枠体状のマグネットプ      レーとを被着し、さらに、このマグネットプレートの表面にシリコンを塗布して形      成した、前記枠体部に前記マグネットプレートを磁着した際に圧接される突条を形      成し、
（１１）マグネットプレートを枠体部に着脱自在に磁着し、マグネットプレートの突条を      枠体部に圧接すると突条の先端は潰れて変形してパッキンを形成するようにした点      ；
は第１の実施例と同じであるが、実施例２が
（１２）薄型電飾体をスタンド型サイン１０１として形成した点；
（１３）導光板１２０がＬＥＤモジュールの照射光を両面より案内する両面型のＬＥＤ導      光板である点；
が第１の実施例と異なる。【００２６】符号１５２はトップカバー、１５３，１５４はサイドカバーである。前記トップカバー１５２、サイドカバー１５３，１５４は枠体部１５０の一部を形成し、結束手段（ねじ）により枠体本体１５０に固定される（図２０）。符号１６５は前記透明カバー１６０のバック印刷面、１６７は前記マグネットプレート１７０と前記透明カバー１６０の接着面（図２０）、１８０は電源（ＡＤ／ＤＣ変換電源）、１９０はベース、１９１はベース１９０を構成するベースカバー、１９２はベース本体、１９３はキャスタである。【００２７】この実施例によれば、薄型のスタンド型サインが提供できる。【００２８】（実施例３）
図２２〜図２４に薄型電飾体の第３の実施例を示す。
図２２〜図２４において、薄型電飾体２０１が、
（１）光源を構成するＬＥＤを含んで形成されるＬＥＤモジュール２１０と、
（２）ＬＥＤモジュールのＬＥＤ照射光を案内する導光板２２０と、
（３）導光板を透過したＬＥＤ照射光を透過する光透過性の乳半面板２３０と、
（４）乳半面板を透過したＬＥＤ照射光により視認されるポスターなどのメディア媒体２      ４０と、
（５）ＬＥＤモジュール２１０と導光板と乳半面板とメディア媒体２４０とを保持する枠      体部２５０と、
（６）メディア媒体２４０を透視可能とする透明カバー２６０とを備え、
（７）透明カバーの周囲にマグネットプレート２７０を被着し、
（８）マグネットプレートの表面に、枠体部にマグネットプレートを磁着した際に圧接さ      れる突条２７１を形成し、
（９）マグネットプレートを枠体部に着脱自在に磁着し、マグネットプレートの突条を枠      体部に圧接して枠体部と透明カバーとにより形成されるスペースＳを防水・防塵構      造に形成し、
（１０）透明カバーの裏面に、側周部を囲成し、帯状領域を有する枠体状のマグネットプ      レーとを被着し、さらに、このマグネットプレートの表面にシリコンを塗布して形      成した、前記枠体部に前記マグネットプレートを磁着した際に圧接される突条を形      成し、
（１１）マグネットプレートを枠体部に着脱自在に磁着し、マグネットプレートの突条を      枠体部に圧接すると突条の先端は潰れて変形してパッキンを形成するようにした点      ；
は第１の実施例と同じであるが、実施例３が
（１２）薄型電飾体を袖看板２０１として形成した点；
（１３）導光板２２０がＬＥＤの照射光を両面より案内する両面型のＬＥＤ導光板とした      点；
が第１の実施例と異なる。符号２６５は前記透明カバー２６０のバック印刷面、２６７は前記マグネットプレート２７０と前記透明カバー２６０の接着面（図２３）、２８０は電源、２８１は電源カバー、２９０Ａ，２９０Ｂは壁面Ｗに袖看板２０１を固定する固定部材である。
【符号の説明】
【００２９】１        薄型電飾体
１０      ＬＥＤモジュール
１１      ＬＥＤ
１２      ＬＥＤホルダ
２０      導光板
３０      乳半面板
４０      メディア媒体
５０      枠体部
６０      透明カバー
７０      マグネットプレート
７１      突条
１０１    薄型電飾体
１１０    ＬＥＤモジュール
１２０    導光板
１３０    乳半面板
１４０    メディア媒体
１５０    枠体部
１６０    透明カバー
１７０    マグネットプレート
１７１    突条
２０１    薄型電飾体
２１０    ＬＥＤモジュール
２２０    導光板
２３０    乳半面板
２４０    メディア媒体
２５０    枠体部
２６０    透明カバー
２７０    マグネットプレート
２７１    突条
【図１】
0003159036.tif 000003
【図２】
0003159036.tif 000004
【図３】
0003159036.tif 000005
【図４】
0003159036.tif 000006
【図５】
0003159036.tif 000007
【図６】
0003159036.tif 000008
【図７】
0003159036.tif 000009
【図８】
0003159036.tif 000010
【図９】
0003159036.tif 000011
【図１０】
0003159036.tif 000012
【図１１】
0003159036.tif 000013
【図１２】
0003159036.tif 000014
【図１３】
0003159036.tif 000015
【図１４】
0003159036.tif 000016
【図１５】
0003159036.tif 000017
【図１６】
0003159036.tif 000018
【図１７】
0003159036.tif 000019
【図１８】
0003159036.tif 000020
【図１９】
0003159036.tif 000021
【図２０】
0003159036.tif 000022
【図２１】
0003159036.tif 000023
【図２２】
0003159036.tif 000024
【図２３】
0003159036.tif 000025
【図２４】
0003159036.tif 000026